(57)【特許請求の範囲】
【請求項１】
表示ディスプレイと、
前記表示ディスプレイによる表示動作を制御する表示制御部と、
前記表示ディスプレイの前面に配置され、前記表示ディスプレイに対する押下の有無および押下位置を検出するタッチパネルと、
前記表示ディスプレイに対する押下圧を検出する押下圧検出部と、
前記タッチパネルが検出した押下の有無および押下位置に基づき、前記表示ディスプレイが表示した表示画面に対するスクロール操作を受け付ける操作受付部と、を備え、
前記表示制御部は、
前記押下圧検出部が検出した押下圧に応じた比例定数を、前記押下圧が大きくなるにつれて小さくして決定し、当該決定した比例定数を、前記操作受付部に受け付けられたスクロール操作の押下位置の変化速度に乗じてスクロール速度を算出することにより、前記押下圧が大きくなるにつれてスクロール速度を遅くすることで、前記押下圧検出部が検出した押下圧に基づき前記スクロール速度を決定し、前記操作受付部がスクロール操作を受け付けた場合に、前記表示ディスプレイに前記決定したスクロール速度で前記表示画面をスクロール表示させ、
前記押下圧検出部が検出した押下圧が大きくなるにつれて小さく決定される前記比例定数に応じて前記スクロール速度が遅くなるにつれて、前記表示画面における表示対象データの全領域にわたる背景画像に付与するノイズの量を増加させることで、前記背景画像の表示態様を変化させ、
更に、前記表示制御部は、前記ノイズの付加により前記背景画像の表示態様を変化させた後に前記操作受付部に受け付けられたスクロール操作に応じて、前記算出されたスクロール速度で、前記表示画面のスクロール表示を開始させる表示装置。
【請求項２】
前記表示制御部は、前記タッチパネルが検出した押下位置の変化速度に予め定められた比例定数を乗じることで前記スクロール速度を算出し、前記比例定数を前記押下圧検出部が検出した押下圧に基づき変化させることで、前記押下圧に基づくスクロール速度の決定を行う、請求項１に記載の表示装置。
【請求項３】
前記表示制御部は、前記表示ディスプレイに前記表示画面を第１方向へスクロール表示させている間に、前記操作受付部が前記第１方向とは反対方向の第２方向へのスクロール操作を受け付けた場合、前記表示ディスプレイに、前記操作受付部が受け付けたスクロール操作により指定されるスクロール速度よりも遅いスクロール速度で、前記表示画面を前記第２方向へスクロール表示させる、請求項１又は請求項２に記載の表示装置。
【請求項４】
前記表示制御部は、前記表示画面を前記第２方向へスクロール表示させる際の前記背景画像の表示態様を、前記表示画面を前記第１方向へスクロール表示させる際の前記背景画像の表示態様と異ならせる、請求項３に記載の表示装置。
【請求項５】
コンピューターを、
表示ディスプレイによる表示動作を制御する表示制御部と、
前記表示ディスプレイの前面に配置されたタッチパネルが検出した前記表示ディスプレイに対する押下の有無および押下位置に基づき、前記表示ディスプレイが表示した表示画面に対するスクロール操作を受け付ける操作受付部と、
前記表示ディスプレイに対する押下圧を検出する押下圧検出部と、して機能させ、
前記表示制御部が、
前記押下圧検出部が検出した押下圧に応じた比例定数を、前記押下圧が大きくなるにつれて小さくして決定し、当該決定した比例定数を、前記操作受付部に受け付けられたスクロール操作の押下位置の変化速度に乗じてスクロール速度を算出することにより、前記押下圧が大きくなるにつれてスクロール速度を遅くすることで、前記押下圧検出部が検出した押下圧に基づき前記スクロール速度を決定し、前記操作受付部がスクロール操作を受け付けた場合に、前記表示ディスプレイに前記決定したスクロール速度で前記表示画面をスクロール表示させ、
前記押下圧検出部が検出した押下圧が大きくなるにつれて小さく決定される前記比例定数に応じて前記スクロール速度が遅くなるにつれて、前記表示画面における表示対象データの全領域にわたる背景画像に付与するノイズの量を増加させることで、前記背景画像の表示態様を変化させ、
更に、前記表示制御部が、前記ノイズの付加により前記背景画像の表示態様を変化させた後に前記操作受付部に受け付けられたスクロール操作に応じて、前記算出されたスクロール速度で、前記表示画面のスクロール表示を開始させるように、コンピューターを機能させる表示制御プログラム。
【発明の詳細な説明】
【技術分野】
【０００１】
本発明は、表示装置および表示制御プログラムに関し、特に、表示ディスプレイに表示された表示画面をスクロール表示させる技術に関する。
【背景技術】
【０００２】
画像形成装置、スマートフォンなどの携帯端末、およびパーソナルコンピューターなどは、液晶ディスプレイ（ＬＣＤ：Liquid Crystal Display）や有機ＥＬ（ＯＬＥＤ：Organic Light-Emitting Diode）などの表示ディスプレイを備えており、当該表示ディスプレイに表示画面を表示させている。
【０００３】
ここで、表示ディスプレイには限りがあるため、表示画面の全範囲を一度に表示できない場合がある。この場合、表示画面の一部の範囲を表示し、ユーザーからのスクロール操作を受け付けたときに、表示画面をスクロール表示させている（例えば、特許文献１参照）。
【先行技術文献】
【特許文献】
【０００４】
【特許文献１】特開２０１５−７２７１２号公報
【発明の概要】
【発明が解決しようとする課題】
【０００５】
ここで、表示画面をスクロール表示する際の適切な速度（スクロール速度）は、ユーザーや使用形態によって異なる。例えば、速い速度で表示画面をスクロール表示させたいユーザーもいれば、遅い速度で表示画面をスクロール表示させたいユーザーもいる。また、短時間に広い範囲の表示画面を確認したい場合は、速い速度で表示画面をスクロール表示させることが好ましい。
【０００６】
予め定められた設定画面においてスクロール速度を変更することが可能な表示装置が知られているが、スクロール速度を変更する度に設定画面を呼び出す必要があるのでは煩わしくユーザー利便性に欠ける。
【０００７】
本発明は、上記の事情に鑑みなされたものであり、予め定められた設定画面を呼び出すことなく、所望のスクロール速度に変更することを可能にすることを目的とする。
【課題を解決するための手段】
【０００８】
本発明の一局面に係る表示装置は、表示ディスプレイと、前記表示ディスプレイによる表示動作を制御する表示制御部と、前記表示ディスプレイの前面に配置され、前記表示ディスプレイに対する押下の有無および押下位置を検出するタッチパネルと、前記表示ディスプレイに対する押下圧を検出する押下圧検出部と、前記タッチパネルが検出した押下の有無および押下位置に基づき、前記表示ディスプレイが表示した表示画面に対するスクロール操作を受け付ける操作受付部と、を備え、前記表示制御部は、前記押下圧検出部が検出した押下圧に基づきスクロール速度を決定し、前記操作受付部がスクロール操作を受け付けた場合に、前記表示ディスプレイに前記決定したスクロール速度で前記表示画面をスクロール表示させる、表示装置である。
【０００９】
また、本発明の別の一局面に係る表示制御プログラムは、コンピューターを、表示ディスプレイによる表示動作を制御する表示制御部と、前記表示ディスプレイの前面に配置されたタッチパネルが検出した前記表示ディスプレイに対する押下の有無および押下位置に基づき、前記表示ディスプレイが表示した表示画面に対するスクロール操作を受け付ける操作受付部と、前記表示ディスプレイに対する押下圧を検出する押下圧検出部と、して機能させ、更に、前記表示制御部が、前記押下圧検出部が検出した押下圧に基づきスクロール速度を決定し、前記操作受付部がスクロール操作を受け付けた場合に、前記表示ディスプレイに前記決定したスクロール速度で前記表示画面をスクロール表示させるように、コンピューターを機能させる表示制御プログラムである。
【発明の効果】
【００１０】
本発明によれば、予め定められた設定画面を呼び出すことなく、所望のスクロール速度に変更することができる。
【図面の簡単な説明】
【００１１】
【図１】本発明の一実施形態に係る表示装置の内部構成を示すブロック図である。
【図２】本発明の一実施形態に係る表示装置の外観を示す正面図である。
【図３】本発明の一実施形態に係る表示装置が表示する表示対象データの一例を示す図である。
【図４】（Ａ）および（Ｂ）は、本発明の一実施形態に係る表示装置が表示する表示画面の一例を示す図である。
【図５】本発明の一実施形態に係る表示装置におけるスクロール表示動作の流れを示すフローチャートである。
【図６】（Ａ）および（Ｂ）は、本発明の一実施形態に係る表示装置が表示する表示画面の一例を示す図である。
【図７】本発明の変形例に係る表示装置における動作の流れを示すフローチャートである。
【図８】本発明の変形例に係る表示装置が表示する表示画面の一例を示す図である。
【発明を実施するための形態】
【００１２】
以下、本発明の一実施形態に係る表示装置および表示制御プログラムについて図面を参照して説明する。図１は、本発明の一実施形態に係る表示装置の内部構成を示すブロック図である。図２は、本発明の一実施形態に係る表示装置の外観を示す正面図である。
【００１３】
本発明の一実施形態に係る表示装置１は、例えば、スマートフォンなどの携帯モバイル機器であって、制御ユニット１０と、ＲＯＭ１１と、ＲＡＭ１２と、ＨＤＤ１３と、表示ディスプレイ１４と、通信インターフェイス１５とを備えている。これら各部は、互いにＣＰＵバスによりデータ又は信号の送受信が可能とされている。
【００１４】
制御ユニット１０は、ＣＰＵ（Central Processing Unit）などからなり、表示装置１全体の動作制御を司る。ＲＯＭ１１は、表示装置１の基本動作についての動作プログラムを記憶する。ＲＡＭ１２は、制御ユニット１０の動作領域などとして使用される。
【００１５】
ＨＤＤ（Hard disk drive）１３は、その記憶領域の一部に、本発明の一実施形態に係る表示制御プログラムを記憶している。制御ユニット１０は、当該表示制御プログラムに従って動作することで、制御部１００、表示制御部１０１、操作受付部１０２、および押下圧検出部１０３として機能する。なお、制御ユニット１０の制御部１００、表示制御部１０１、操作受付部１０２、および押下圧検出部１０３は、表示制御プログラムに基づく動作によらず、それぞれハード回路により構成されてもよい。
【００１６】
通信インターフェイス１５は、ネットワーク接続されたパーソナルコンピューターなどとのデータ通信を行うためのインターフェイスとして機能する。
【００１７】
表示ディスプレイ１４は、液晶ディスプレイ（ＬＣＤ：Liquid Crystal Display）や有機ＥＬ（ＯＬＥＤ：Organic Light-Emitting Diode）などからなり、各種データの内容や表示装置１を操作するユーザーに対する操作案内などを示す画像が表示される。
【００１８】
表示ディスプレイ１４の前面には、タッチパネル部１４１が設けられている。タッチパネル部１４１は、例えば、抵抗膜方式のタッチパネルであって、表示ディスプレイ１４の表示画面上におけるユーザーによる押下（接触）の有無を押下位置（座標位置）と共に検出する。タッチパネル部１４１は、ユーザーによる押下を検出すると、当該押下位置を示す検出信号を制御部１００や操作受付部１０２などに出力する。なお、当該タッチパネル部１４１には、表示画面への押下がなくても、ユーザーの指などが表示画面に対して一定距離まで接近した場合に当該指などを検出するタッチパネルも含まれる。このため、本実施形態でいう「押下」には、表示画面への接触がなくても指などが上記一定距離まで接近したことがタッチパネル部１４１の機能により検出される状態も、実質的に接触したとして含まれるものとする。
【００１９】
制御ユニット１０は、上述したように、制御部１００、表示制御部１０１、操作受付部１０２、および押下圧検出部１０３を有している。
【００２０】
制御部１００は、表示装置１全体の動作制御を司るものである。例えば、制御部１００は、ユーザーによるメール送信指示が操作受付部１０２により受け付けられた際に、通信インターフェイス１５を用いてメールサーバーとの間でデータ通信を行う。
【００２１】
操作受付部１０２は、タッチパネル部１４１から出力される検出信号に基づきユーザーにより入力されたユーザー操作を特定する。そして、操作受付部１０２は、特定したユーザー操作を受け付け、当該ユーザー操作に対応する制御信号を表示制御部１０１などに出力する。
【００２２】
ここでユーザー操作には、スクロール操作（スワイプ操作ともいう）、選択操作（タップ操作ともいう）、ピンチ操作などがある。例えば、ユーザーが表示ディスプレイ１４の表示画面上に指を押下させた状態で、指を表示画面上でスライド移動させると、最初に押下を検出した初期位置から、最後に押下を検出した最終位置までの各移動位置を示す検出信号を操作受付部１０２に出力する。操作受付部１０２は、タッチパネル部１４１から出力される上記検出信号から、ユーザーにより入力されたユーザー操作がスクロール操作であることを特定する。そして、操作受付部１０２は、スクロール操作に対応する制御信号を制御部１００や表示制御部１０１などに出力する。
【００２３】
表示制御部１０１は、操作受付部１０２が受け付けたユーザー操作に基づき、表示ディスプレイ１４による表示動作を制御する機能を有する。例えば、操作受付部１０２がスクロール操作を受け付けた場合、表示制御部１０１は、当該スクロール操作に従い表示ディスプレイ１４に表示される画像をスクロール表示させる。
【００２４】
図２に示すように、表示ディスプレイ１４においてデータを表示可能な表示領域には、固定表示領域とスクロール表示領域とがある。スクロール表示領域には、スクロール操作に応じてスクロール表示を行う表示対象データＤ１が表示され、固定表示領域には、予め定められたデータＤ２が表示されている。
【００２５】
ここで、表示ディスプレイ１４のサイズには限りがあるため、表示対象データＤ１（図３参照）の全範囲をスクロール表示領域に一度に表示できない。このため図２に示す例では、表示制御部１０１は、表示対象データＤ１の一部の範囲を表示画面としてスクロール表示領域に表示させ、操作受付部１０２がユーザーからのスクロール操作を受け付けたときにスクロール表示領域に表示される表示画面をスクロール表示させる。
【００２６】
図４（Ａ）に示す例のように、位置Ａ１から人差し指をスライド移動させ、ある地点Ａ２で当該スライド動作を停止させると、操作受付部１０２は、タッチパネル部１４１から出力される検出信号からスクロール操作を受け付けたことを特定する。そして、表示制御部１０１は、押下位置の変化速度Ｖ１に予め定められた比例定数Ｎ0を乗じて算出した速度Ｖ２（＝Ｎ0×Ｖ１）を表示画面をスクロール表示させる速度とする。速度Ｖ２で表示画面をスクロール表示させた結果、表示ディスプレイ１４には、図４（Ｂ）に示すような画像が表示される。
【００２７】
なお、詳細は後述するが、本発明の一実施形態にかかる表示装置１では、表示ディスプレイ１４に対する押下圧に基づき上記の比例定数を変化させる。これにより、ユーザーが表示ディスプレイ１４に指などを押下させる強さを変えることで、スクロール速度の設定を調整することを可能にしている。
【００２８】
図１に戻って、押下圧検出部１０３は、表示ディスプレイ１４に対する押下圧を検出する機能を有する。押下圧検出部１０３は、検出した押下圧の情報を表示制御部１０１などに出力する。
【００２９】
ここで、タッチパネル部１４１が、抵抗膜方式のものである場合、タッチパネル部１４１を構成する二枚一組の抵抗膜間の押下抵抗が押下圧によって変化する。従って、押下圧検出部１０３は、当該抵抗膜間の押下抵抗に基づき押下圧を算出する。
【００３０】
また、タッチパネル部１４１が静電容量方式などの抵抗膜方式以外のものである場合、本発明の一実施形態にかかる表示装置１では、表示ディスプレイ１４の後方に不図示の力センサを配置する。押下圧検出部１０３は、当該力センサから出力される信号に基づき押下圧を算出する。
【００３１】
続いて、上記の構成を備える表示装置１の動作について説明する。図５は、表示装置１におけるスクロール表示動作の流れを示すフローチャートである。
【００３２】
操作受付部１０２が表示ディスプレイ１４に対する押下を検出した場合（ステップＳ１０においてＹＥＳ）、押下圧検出部１０３は、表示ディスプレイ１４に対する押下圧を検出する（ステップＳ１１）。
【００３３】
表示制御部１０１は、ステップＳ１１において検出した押下圧に基づき、スクロール速度を算出する際に用いられる比例定数を決定する（ステップＳ１２）。具体的には、表示制御部１０１は、押下圧が大きくなるにつれて比例定数を小さくする。すなわち、表示制御部１０１は、押下圧が大きくなるにつれて表示画面のスクロール速度が遅くなるように、設定を変更している。
【００３４】
ステップＳ１２の処理後、表示制御部１０１は、決定したスクロール速度に基づき表示ディスプレイ１４に表示画面の背景画像の表示態様を変化させる（ステップＳ１３）。
【００３５】
図６（Ａ）は、押下圧が低い場合、すなわちスクロール速度が速い場合に、表示ディスプレイ１４に表示される表示画面の一例を示す図であり、図６（Ｂ）は、押下圧が高い場合、すなわちスクロール速度が遅い場合に、表示ディスプレイ１４に表示される表示画面の一例を示す図である。これらの図に示すように、表示制御部１０１は、スクロール速度が遅くなるにつれて、表示画面の背景画像をざらざらしたように視認されるように変化させる。具体的には、表示制御部１０１は、背景画像にノイズを付与することで、表示画面の背景画像をざらざらしたように視認されるように変化させる（図６（Ｂ）におけるＢ部拡大図を参照）。表示制御部１０１は、表示ディスプレイ１４に対する押下圧が大きくなるにつれて、すなわちスクロール速度が遅くなるにつれて背景画像に付与するノイズの量を増加させる。
【００３６】
このように、スクロール速度に基づき表示画面の背景画像の表示態様を変化させることで、ユーザーにスクロール速度のおおよそを報知することができる。例えば、表示画面の背景画像をざらざらしたように視認されるように変化させることで、スクロール速度が遅いことを報知することができ、表示画面の背景画像をすべすべしたように視認されるように変化させることで、スクロール速度が速いことを報知することができる。
【００３７】
図５に戻って、操作受付部１０２が表示ディスプレイ１４に対するスクロール操作を検出した場合（ステップＳ１４においてＹＥＳ）、表示制御部１０１は、スクロール操作での押下位置の変化速度にステップＳ１２の処理で決定した比例定数を乗じることで、スクロール速度を決定する（ステップＳ１５）。そして、表示制御部１０１は、表示ディスプレイ１４に、決定したスクロール速度で表示画面をスクロール表示させる（ステップＳ１６）。
【００３８】
このように本発明の一実施形態にかかる表示装置１では、表示制御部１０１が、押下圧検出部１０３が検出した押下圧に基づきスクロール速度を決定している。これにより、予め定められた設定画面を呼び出すことなく、ユーザーが所望のスクロール速度に変更することができる。
【００３９】
なお、本発明は、上記の実施の形態の構成に限られず種々の変形が可能である。
【００４０】
＜変形例１＞
図７は、変形例１にかかる表示装置の動作の流れを示すフローチャートである。
【００４１】
図４（Ａ）に示すように、位置Ａ１から位置Ａ２に向かう紙面上方向に向かうスライド操作により表示制御部１０１が表示画面を紙面下方向（第１方向）へスクロール表示させている間に、図８に示すように、位置Ａ５から位置Ａ６に向かう紙面下方向に向かうスライド操作により表示画面を紙面上方向（第２方向）へスクロール表示させる指示が入力された場合を考える。
【００４２】
一般の表示装置では、このようなスライド操作が行われた場合、通常のスクロール速度（スクロール操作により指定されるスクロール速度）で表示画面を紙面上方向へスクロール表示させる。
【００４３】
これに対して、変形例１にかかる表示装置では、表示制御部１０１が表示画面を第１方向へスクロール表示させている間に、操作受付部１０２が第２方向へスクロール表示させるスクロール操作を受け付けた場合（ステップＳ２０においてＹＥＳ）、表示制御部１０１は、ステップＳ２１およびステップＳ２２の処理を行う。
【００４４】
すなわち、表示制御部１０１は、表示ディスプレイ１４に、スクロール操作により指定される通常のスクロール速度よりも遅い速度をスクロール速度として決定し（ステップＳ２１）、表示ディスプレイ１４に表示画面を当該決定したスクロール速度で紙面上方向へスクロール表示させる（ステップＳ２２）。
【００４５】
またこの際、表示制御部１０１は、表示画面を第２方向へスクロール表示させる際の背景画像の表示態様を、表示画面を第１方向へスクロール表示させる際の背景画像の表示態様と異ならせる。図８に示す例では、表示制御部１０１は、表示画面の背景画像をざらざらしたように視認されるように変化させている。これにより、ユーザーにスクロール速度が遅いことを報知することができる。
【００４６】
反対方向へのスクロール操作は、ユーザーがスクロール表示中に表示画面に含まれる情報を見逃し、その見逃した情報を確認する場合に行う操作であることが多い。変形例１にかかる表示装置では、見逃した情報を確認する場合に行う可能性が高いスクロール表示において、スクロール操作により指定される通常のスクロール速度よりも遅い速度でスクロール表示するため、ユーザーが見逃した情報を確認しやすくすることができる。
【００４７】
＜変形例２＞
上記の実施形態では、スクロール速度に基づき表示画面の背景画像の表示態様を変化させる一例として、背景画像にノイズを付与する場合を説明したが、本発明は必ずしもこの場合に限られない。
【００４８】
変形例２にかかる表示装置では、表示制御部１０１が、スクロール速度に基づき表示画面の背景画像の色を変化させる。具体的には、表示制御部１０１は、背景画像の色の濃淡を変化させ、スクロール速度が遅くなるにつれて色の濃度を高くする。このように変形例２にかかる表示装置は、背景画像の色の濃淡を変化させることで、ユーザーにスクロール速度のおおよそを報知することができる。
【００４９】
＜その他の変形例＞
例えば、上記実施形態では、本発明にかかる表示装置の一実施形態としてスマートフォン等の携帯モバイル機器を例にした表示装置１を示しているが、本発明は必ずしもこの場合に限定されない。本発明は、スマートフォン等の携帯モバイル機器の他に、例えば、パーソナルコンピューターや画像形成装置等の表示ディスプレイを有する機器に適用が可能である。
【符号の説明】
【００５０】
１      表示装置
１０    制御ユニット
１１    ＲＯＭ
１２    ＲＡＭ
１３    ＨＤＤ
１４    表示ディスプレイ
１５    通信インターフェイス
１００  制御部
１０１  表示制御部
１０２  操作受付部
１０３  押下圧検出部
１４１  タッチパネル部
【図１】
0006493274.tif 000002
【図２】
0006493274.tif 000003
【図３】
0006493274.tif 000004
【図４】
0006493274.tif 000005
【図５】
0006493274.tif 000006
【図６】
0006493274.tif 000007
【図７】
0006493274.tif 000008
【図８】
0006493274.tif 000009